(57)【要約】【課題】通話システムにおいて、着呼側のユーザが電話に応答する意思があるか否かを発呼側のユーザがいっそう容易に把握できる技術を提供する。【解決手段】着呼側の電話機は、発呼側の電話機から着呼を受けると、着呼側の電話機のユーザと電話機との距離の変化を計測することでユーザの動作状態を示す情報を取得する。着呼側の電話機は、ユーザの動作状態を示す情報を発呼側の電話機へ送信する。発呼側の電話機は、発呼を行うことにより呼び出し中の着呼側の電話機のユーザの動作状態を示す情報を、着呼側の電話機との通信により取得する。発呼側の電話機は、着呼側の電話機のユーザと着呼側電話機との距離などに基づき取得されるユーザの動作状態を示す情報（例えば着呼側電話機のユーザと着呼側電話機との距離の変化）を、発呼側の電話機のユーザに、ディスプレイに表示する等により報知する。【選択図】図８
2017017545.tif 000002
【特許請求の範囲】
【請求項１】
通話システムであって、
発呼側電話機が着呼側電話機を呼び出している呼び出し中に、前記着呼側電話機を使用する着呼側ユーザと前記着呼側電話機との位置関係を推定するための情報を取得するように構成された取得手段と、
前記取得される前記位置関係を推定するための情報に基づいて推定される前記呼び出し中の前記着呼側ユーザの動作状態を示す報知を、前記発呼側電話機に実行させる報知手段とを備える、通話システム。
【請求項２】
電話機であって、
他の電話機との通話を行うため通信信号を送受信するように構成された通信部と、
前記電話機の動作を制御するように構成された制御部とを備え、
前記制御部は、
前記他の電話機へ発呼する発呼部と、
前記発呼を行うことにより呼び出し中の前記他の電話機のユーザの動作状態を示す情報を外部の通信装置から受信する動作状態受信部と、
前記受信した前記他の電話機のユーザの動作状態を示す情報を前記電話機のユーザへ報知する報知部とを含む、電話機。
【請求項３】
前記制御部の前記動作状態受信部は、
前記他の電話機のユーザの動作状態を示す情報として、前記他の電話機のユーザと当該他の電話機との距離を示す情報を受信するように構成されており、
前記報知部は、前記ユーザの動作状態を示す情報として取得した前記他の電話機のユーザと前記他の電話機との距離の変化に応じた報知を行う、請求項２に記載の電話機。
【請求項４】
前記制御部の前記動作状態取得部は、
前記他の電話機のユーザの動作状態を示す情報として、前記他の電話機のユーザが使用する家電機器の動作状況に基づき推定される前記他のユーザの状態の推定結果を示す情報を取得するように構成されており、
前記報知部は、前記他のユーザの状態の推定結果を示す情報を報知する、請求項２に記載の電話機。
【請求項５】
前記制御部の前記動作状態取得部は、
前記他の電話機のユーザの動作状態を示す情報として、前記他の電話機のユーザが使用する家電機器の動作状況と、前記他の電話機の充電状況とに基づき推定される前記他のユーザの状態の推定結果を示す情報を取得するように構成されている、請求項４に記載の電話機。
【請求項６】
電話機であって、
通信信号を送受信するように構成された通信部と、
前記電話機の動作を制御するように構成された制御部とを備え、
前記制御部は、
前記他の電話機から着呼を受ける着呼部と、
前記着呼を受けることにより呼び出される前記電話機のユーザの動作状態を示す情報を取得し、取得した情報を外部の通信装置へ送信する動作状態送信部とを含む、電話機。
【請求項７】
前記電話機の前記動作状態送信部は、
前記電話機のユーザの動作状態を示す情報として、前記電話機のユーザと前記電話機との距離を示す情報を取得するように構成されており、取得した前記距離を示す情報を前記外部の通信装置へ送信するように構成されている、請求項６に記載の電話機。
【請求項８】
前記電話機の前記動作状態送信部は、
前記電話機のユーザが装用するデバイスから送信されるビーコン信号を前記通信部により受信し、受信した前記ビーコン信号に基づいて前記電話機のユーザと前記電話機との距離を算出することで、前記電話機のユーザと前記電話機との距離を示す情報を取得するように構成されている、請求項７に記載の電話機。
【発明の詳細な説明】
【技術分野】
【０００１】
本開示は、通話システムにおいて、着呼側の電話機の状況を発呼側の電話機に対して通知することでユーザの利便性を向上させる技術に関する。
【背景技術】
【０００２】
従来より、着信を受ける着呼側の電話機のユーザと、発呼側の電話機のユーザとのコミュニケーションを容易にするため、様々な技術が提供されている。例えば、着呼側のユーザが電話に応答できない場合においても留守番電話機能などにより発呼者のメッセージを着呼側電話機などに記録することなどが行われてきている。
【０００３】
また、スマートフォンなどの携帯型の電話機は、ユーザが携行して使用するものであるため、様々な状況で使用される。状況によっては、着呼側のユーザが電話に応答できない局面もある。このような局面において、着呼側のユーザが電話に応答できない旨を発呼側のユーザにいち早く知らせることができると、発呼側のユーザにとって利便性が高い。例えば、自動車の運転中など、着呼側のユーザが電話に応答することが困難である場合に、その旨を発呼側のユーザに通知することができると、発呼側のユーザは、着呼側のユーザに対して発呼を続けても着呼側のユーザが直ちに応答することができないことを知ることができる。また、着呼側のユーザの利便性を向上させる技術も検討されている。例えば、特開２００３−１２５０７２号公報（特許文献１）は、携帯電話機の所有者が自動運転モードに設定した後に携帯電話機の速度が一定以上になると、電話の発呼者に対して「現在運転中」である旨を自動的に知らせ、速度が一定速度以下になると、携帯電話機にかかってきた電話を受けることができる技術を記載している。これにより、所有者が携帯電話機をいったん自動運転モードに設定すれば、運転開始前に毎回自動運転モードに設定する煩わしさから所有者が解放される。
【先行技術文献】
【特許文献】
【０００４】
【特許文献１】特開２００３−１２５０７２号公報
【発明の概要】
【発明が解決しようとする課題】
【０００５】
着呼側のユーザの状況を発呼側のユーザが知ることができると利便性が高い。しかし、例えば、特許文献１に記載された技術において、着呼側のユーザが電話に出る気がない場合など、着呼側のユーザの意志を発呼側のユーザが推定することが困難な場合は、発呼側のユーザがいつまで呼び出しを続ければいいのか判然としないことがある。また、着呼側のユーザが電話に応答しようとしているにもかかわらず、発呼側のユーザが呼び出しを停止してしまうこともある。
【０００６】
したがって、着呼側のユーザが電話に応答する意思があるか否かを発呼側のユーザがいっそう容易に把握できる技術が必要とされている。本開示は、着呼側のユーザが電話に応答するか否かを発呼側のユーザが推定することを可能とすることで発呼側のユーザの利便性をいっそう高める技術を提供することを目的としている。
【課題を解決するための手段】
【０００７】
一実施形態に従う通話システムは、発呼側電話機が着呼側電話機を呼び出している呼び出し中に、着呼側電話機を使用する着呼側ユーザと着呼側電話機との位置関係を推定するための情報を取得するように構成された取得手段と、取得される位置関係を推定するための情報に基づいて推定される呼び出し中の着呼側ユーザの動作状態を示す報知を、発呼側電話機に実行させる報知手段とを備える。
【０００８】
別の実施形態に従う電話機は、他の電話機との通話を行うため通信信号を送受信するように構成された通信部と、電話機の動作を制御するように構成された制御部とを備える。制御部は、他の電話機へ発呼する発呼部と、発呼を行うことにより呼び出し中の他の電話機のユーザの動作状態を示す情報を外部の通信装置から受信する動作状態受信部と、受信した他の電話機のユーザの動作状態を示す情報を電話機のユーザへ報知する報知部とを含む。
【０００９】
別の実施形態に従う電話機は、通信信号を送受信するように構成された通信部と、電話機の動作を制御するように構成された制御部とを備える。制御部は、他の電話機から着呼を受ける着呼部と、着呼を受けることにより呼び出される電話機のユーザの動作状態を示す情報を取得し、取得した情報を他の電話機へ送信する動作状態送信部とを含む。
【発明の効果】
【００１０】
一実施形態によると、着呼側のユーザが着信に対してどのような状態であるかを発呼側のユーザが把握することができ、着呼側のユーザが着信に応答しようとしているか否かを推定することがいっそう容易となるため、発呼側のユーザの利便性が向上する。
【００１１】
この発明の上記および他の目的、特徴、局面および利点は、添付の図面と関連して理解されるこの発明に関する次の詳細な説明から明らかとなるであろう。
【図面の簡単な説明】
【００１２】
【図１】本実施形態の通話システムの概要を示す図である。
【図２】通信装置１０の構成とサーバ２０の構成とを示すブロック図である。
【図３】着呼側ユーザの家屋の間取り図の例を示す。
【図４】状態判定基準情報２６３のデータ構造を示す図である。
【図５】着呼者の状態の判定結果および着呼側電話機の充電状態に基づいて、発呼側電話機のユーザに通知するためのディスプレイの表示内容をサーバ２０が特定する場合の表示内容特定情報２６４のデータ構造を示す。
【図６】着呼者と着呼側電話機との距離の大きさに基づいて、発呼側電話機のユーザに通知するためのディスプレイの表示内容をサーバ２０が特定する場合の表示内容特定情報２６４のデータ構造を示す。
【図７】着呼者と着呼側電話機との距離の情報に基づいて、発呼側電話機に着呼側電話機のユーザの動作状態の推定結果を報知させる処理を示す図である。
【図８】着呼側電話機の充電状態と、家電機器４０の動作状態の情報とを用いて着呼側ユーザの状態の推定結果を発呼側電話機に報知させる処理を示す図である。
【図９】着呼者と着呼側電話機との距離の情報に基づいて、発呼側電話機に着呼側電話機のユーザの動作状態の推定結果を報知させる処理の、発呼側電話機の画面の表示例を示す図である。
【発明を実施するための形態】
【００１３】
以下、図面を参照しつつ、本発明の実施の形態について説明する。以下の説明では、同一の部品には同一の符号を付してある。それらの名称および機能も同じである。したがって、それらについての詳細な説明は繰り返さない。
【００１４】
＜実施の形態１＞
本実施形態では、電話機とサーバとによって構成される通話システムについて説明する。
【００１５】
図１は、本実施形態の通話システムの概要を示す図である。図１に示すように、通話システムは、電話機（通信装置１０Ａおよび通信装置１０Ｂ）と、サーバ２０とを含む。通信装置１０Ａと通信装置１０Ｂとは、通話用のアプリケーションを実行することにより、サーバ２０を介して通話処理を行う。
【００１６】
図１の例では、発呼側電話機を通信装置１０Ｂとし、着呼側電話機を通信装置１０Ａとする。例えば、外出しているユーザが発呼側となって通信装置１０Ｂを操作して通信装置１０Ａに対して発呼を行うものとする（例えば、図１に示す家屋に二人で住んでおり、二人のうち一方が外出して外出先から発呼を行うとする。この場合、家屋には一人以下の人物がいる）。
【００１７】
通信装置１０Ａおよび通信装置１０Ｂは、例えばスマートフォンであるが、これに限られない。通信装置１０Ｂは、無線基地局９２と通信することにより、ネットワーク９０を介してサーバ２０および通信装置１０Ａと通信する。通信装置１０Ａおよび通信装置１０Ｂは、３Ｇ、ＬＴＥ（Long  Term  Evolution）、高速無線ＬＡＮ（Local  Area  Network）規格、Ｂｌｕｅｔｏｏｔｈ（登録商標）などの複数の無線通信規格に対応している。図１に示すように、着呼側のユーザは、家に滞在しており、他の電話機からの着信を通信装置１０Ａで受ける。家には様々な家電機器４０（例えば、テレビ４０Ａおよびエアコン４０Ｂ）が設置されている。家電機器４０は、通信機能を有しており、ブロードバンドルータ９１と通信することにより、ネットワーク９０を介してサーバ２０と通信することができる。家電機器４０に含まれる各家電機器は、逐次、動作状況をサーバ２０へ送信する。サーバ２０は、家電機器４０に含まれる各家電機器の動作状況を、ネットワーク９０を介して受信し、受信した動作状況の情報を蓄積する。
【００１８】
通話システムにおいて、発呼側電話機（通信装置１０Ｂ）が着呼側電話機（通信装置１０Ａ）を呼び出している呼び出し中の状態である場合に、着呼側電話機を使用する着呼側ユーザと、着呼側電話機との位置関係を推定するための情報を着呼側電話機が取得する。
【００１９】
例えば、着呼側電話機（通信装置１０Ａ）のユーザが、ビーコン信号を発する電子機器を保持しているとする。通信装置１０Ａは、ユーザと通信装置１０Ａとの位置関係を推定するための情報として、この電子機器から発せられるビーコン信号の受信強度を測定する。通信装置１０Ａは、ビーコン信号の受信強度の測定結果等（または、ビーコン信号の受信強度の測定結果に基づき算出される通信装置１０Ａとユーザとの距離の情報）を、ユーザと着呼側電話機（通信装置１０Ａ）との位置関係を推定するための情報としてサーバ２０へ送信する。例えば、通信装置１０Ａのユーザは、装着型通信機器３０を装着している。通信装置１０Ａに着信があった場合、着呼側電話機となる通信装置１０Ａは、装着型通信機器３０から発せられるビーコン信号の受信強度に基づいて、通信装置１０Ａとユーザとの距離を測定する。通信装置１０Ａは、測定した距離の情報をサーバ２０へ送信する。サーバ２０は、通信装置１０から、ビーコン信号の受信強度等の測定結果を受信して、受信した情報に基づいて、ユーザと通信装置１０Ａとの距離の情報を取得する。なお、ビーコン信号の受信強度の測定結果に基づいてユーザと通信装置１０Ａとの距離を算出する処理が通信装置１０Ａによって行われる場合、サーバ２０は、通信装置１０Ａから、ユーザと通信装置１０Ａとの距離の情報を受信する。サーバ２０は、着呼側のユーザと着呼側電話機（通信装置１０Ａ）との距離の情報を、逐次、発呼側電話機である通信装置１０Ｂへ送信する。通信装置１０Ｂは、サーバ２０から、着呼側のユーザと着呼側電話機との距離の情報を、逐次、受信する。通信装置１０Ｂは、受信した情報に基づいて、着呼側のユーザと着呼側電話機との距離の変化に応じて、着呼側のユーザが電話に応答しようとしているか否かをディスプレイ等により報知する。
【００２０】
また、サーバ２０は、家電機器４０に含まれる各家電機器の動作状況の情報と、着呼側電話機の充電状況とに基づいて、着呼側のユーザと着呼側電話機との位置関係を推定するための情報を取得し、取得した情報に基づいて着呼側のユーザの行動を推定することとしてもよい。例えば、着呼側電話機が充電中である場合は、着呼側のユーザが着呼側電話機と離れた位置にいる可能性があり、着呼側電話機の着信に気づきがたい場合があり得る。
【００２１】
＜構成＞
図２を参照して、本実施形態にかかる各装置を詳細に説明する。
【００２２】
図２は、通信装置１０の構成とサーバ２０の構成とを示すブロック図である。図２に示すように、通信装置１０と装着型通信機器３０とは互いに通信可能である。また、サーバ２０は、家電機器４０から、家電機器４０の動作状況（家電製品としての機能をオンにしているかオフにしているか等）を示す情報をサーバ２０へ送信する。
【００２３】
図２に示すように、通信装置１０は、アンテナ１０１と、無線通信部１１１と、物理操作キー１３１と、操作受付部（タッチパネル）１４１と、ディスプレイ１４２と、電源制御部１４３と、バッテリ１４４と、カメラ１４５と、音声処理部１４６と、マイク１４７と、スピーカ１４８と、記憶部１５０と、制御部１６０とを含む。
【００２４】
アンテナ１０１は、通信装置１０が発する信号を電波として放射する。また、アンテナ１０１は、空間から電波を受信して受信信号を無線通信部１１１へ与える。本実施形態では、通信装置１０は、複数の無線通信規格に対応している。
【００２５】
無線通信部１１１は、通信装置１０が他の無線機器と通信するため、アンテナ１０１等を介して信号を送受信するための変復調処理などを行う。無線通信部１１１は、チューナー、ＲＳＳＩ（Received  Signal  Strength  Indicator）算出回路、ＣＲＣ（Cyclic  Redundancy  Check）算出回路、高周波回路などを含む通信モジュールである。無線通信部１１１は、通信装置１０が送受信する無線信号の変復調や周波数変換を行い、受信信号を制御部１６０へ与える。
【００２６】
物理操作キー１３１は、物理的な入力装置であり、ユーザによる押下操作を受け付ける。物理操作キー１３１は、ユーザの押下操作に応じて、操作内容を示す信号を制御部１６０へ出力する。
【００２７】
操作受付部１４１は、ユーザの入力操作を受け付ける。操作受付部１４１は、例えば静電容量方式のタッチパネルを用いることによって、ユーザの接触位置を検出する。操作受付部１４１は、検出したユーザの接触位置を示す信号を入力操作として制御部１６０へ出力する。
【００２８】
ディスプレイ１４２は、制御部１６０の制御に応じて、画像、動画、テキストなどのデータを表示する。ディスプレイ１４２は、例えばＬＣＤ（Liquid  Crystal  Display）や有機ＥＬ（Electro-Luminescence）ディスプレイによって実現される。
【００２９】
電源制御部１４３は、通信装置１０の各回路に対する電力の供給を制御する。電源制御部１４３は、例えば電源制御用ＩＣ（Integrated  Circuit）である。バッテリ１４４は、通信装置１０の各回路を動作させるための電力を供給する供給源である。バッテリ１４４に充電される電力は、電源制御部１４３の制御に従って各回路へ供給される。
【００３０】
音声処理部１４６は、音声信号の変復調を行う。音声処理部１４６は、マイク１４７から与えられる信号を変調して、変調後の信号を制御部１６０へ与える。また、音声処理部１４６は、音声信号をスピーカ１４８へ与える。音声処理部１４６は、例えば音声処理用のプロセッサによって実現される。マイク１４７は、音声入力を受け付けて、当該音声入力に対応する音声信号を音声処理部１４６へ与える。スピーカ１４８は、音声処理部１４６から与えられる音声信号を音声に変換して当該音声を通信装置１０の外部へ出力する。
【００３１】
記憶部１５０は、例えばフラッシュメモリ等により構成され、通信装置１０が使用するデータおよびプログラムを記憶する。ある局面において、記憶部１５０は、ユーザ識別情報１５１と、ユーザ動作状態情報１５２とを記憶する。
【００３２】
ユーザ識別情報１５１は、通話システムを利用するユーザ間での通話を開始するため、ユーザを識別する情報である。例えば、ユーザ識別情報１５１は、通信装置１０のユーザの名前、発呼先となるユーザの名前、これらユーザが使用する電話番号その他の情報を含む。
【００３３】
ユーザ動作状態情報１５２は、通信装置１０のユーザの動作状態を示す情報である。本実施形態では、ユーザの動作状態を示す情報とは、ユーザと、電話機として機能する通信装置１０との距離を示す情報である。通信装置１０は、ユーザと、通信装置１０との距離を示す情報を、ユーザが装着する装着型通信機器３０がビーコン発信部３０１によって発信するビーコン信号を受信して、受信したビーコン信号の受信強度等に基づき取得する。また、本実施形態では、ユーザの動作状態を示す情報は、ユーザが使用する家電機器４０の動作状況と、ユーザが使用する電話機（通信装置１０）の充電状況とに基づき推定されるユーザの状態の推定結果を示す情報であるとしてもよい。詳しくは後述する。
【００３４】
制御部１６０は、記憶部１５０に記憶されるプログラムを読み込んで、プログラムに含まれる命令を実行することにより、通信装置１０の動作を制御する。制御部１６０は、例えばアプリケーションプロセッサである。制御部１６０は、プログラムに従って動作することにより、呼制御部１６１と、動作状態送信部１６２と、動作状態受信部１６３と、報知処理部１６４としての機能を発揮する。
【００３５】
呼制御部１６１は、電話機として機能する他の通信装置と通話処理を行うための発呼処理および着呼処理を制御する。
【００３６】
動作状態送信部１６２は、他の電話機からの着呼を受けた場合に、着呼により呼び出される通信装置１０のユーザの動作状態を示す情報（例えば、着呼側電話機となる通信装置１０と、通信装置１０のユーザとの距離を示す情報）を取得し、取得した情報を、サーバ２０を介して発呼側電話機へ送信する。動作状態送信部１６２は、着呼により呼び出されるユーザが装用するデバイス（例えば、装着型通信機器３０）から送信されるビーコン信号を無線通信部１１１により受信し、受信したビーコン信号に基づいて、通信装置１０と、着呼により呼び出されるユーザとの距離を算出することで、着呼側電話機となる通信装置１０と、通信装置１０のユーザとの距離を示す情報を取得する。また、サーバ２０が、家電機器４０の動作状況と、着呼側電話機の充電状況とに基づいて、着呼側電話機のユーザの状態を推定する場合、着呼側電話機となる通信装置１０の動作状態送信部１６２は、通信装置１０が充電しているか否かを示す情報を、着呼により呼び出される通信装置１０のユーザの動作状態を示す情報として取得し、取得した情報をサーバ２０へ送信する。
【００３７】
動作状態受信部１６３は、他の電話機に対して発呼を行うことにより呼び出し中の、当該他の電話機のユーザの動作状態を示す情報を、当該他の電話機またはサーバ２０などの外部の装置から受信する。
【００３８】
報知処理部１６４は、動作状態受信部１６３の処理により受信した、他の電話機のユーザの動作状態を示す情報を、ディスプレイ１４２に表示する等により通信装置１０のユーザへ報知する。例えば、報知処理部１６４は、着呼側電話機のユーザの動作状態を示す情報として取得した、着呼側電話機のユーザと着呼側電話機との距離の変化に応じて、距離の大きさを示す情報をディスプレイ１４２に表示することで報知を行う。他の電話機のユーザの動作状態を示す情報をユーザへ報知する方法は、ディスプレイ１４２に表示することに限られず、例えば、スピーカ１４８により音声出力することでユーザへ報知することとしてもよい。
【００３９】
図２を参照して、サーバ２０は、通信部２０２と、記憶部２０６と、制御部２０７とを含む。記憶部２０６は、フラッシュメモリ、ＨＤＤ（Hard  Disk  Drive）、ＲＡＭ（Random  Access  Memory）等により構成され、サーバ２０が使用するプログラムを記憶し、サーバ２０が使用する各種のデータを蓄積する。通信部２０２は、サーバ２０が他の通信機器と通信するための変復調処理などを行う通信インタフェースである。
【００４０】
ある局面において、記憶部２０６は、ユーザ登録情報２６１と、家電動作情報２６２と、状態判定基準情報２６３と、表示内容特定情報２６４とを記憶する。ユーザ登録情報２６１は、通話システムを利用するユーザを識別する情報である。家電動作情報２６２は、家電機器４０から送信される、各家電機器の動作状況を示す情報のログを示す。状態判定基準情報２６３は、サーバ２０が家電動作情報２６２に基づいて、着呼側のユーザの状態（例えば、着呼側のユーザの位置、行動その他の情報）を判定するための基準となる情報を示す。表示内容特定情報２６４は、着呼側のユーザの状態と、通信装置１０の充電状態とに基づいて、発呼側電話機で報知させる情報を特定するための情報である。すなわち、サーバ２０は、着呼側電話機のユーザが使用する家電機器の動作状況と、着呼側電話機の充電状況とを取得し、取得した情報に基づいて、着呼側電話機のユーザの状態を推定する。サーバ２０は、着呼側電話機のユーザの状態の推定結果を発呼側電話機のユーザに報知するために、状態判定基準情報２６３を参照して、発呼側電話機に表示させる表示内容を特定する。
【００４１】
制御部２０７は、記憶部２０６に記憶されるプログラムを読み込んで実行することにより、サーバ２０の動作を制御する。制御部２０７は、例えば複数のプロセッサによって実現される。制御部２０７は、プログラムに従って動作することにより、通話処理部２７１と、距離情報取得部２７２と、機器動作状況取得部２７３と、ユーザ動作状態推定部２７４と、表示内容送信部２７５として機能する。
【００４２】
通話処理部２７１は、サーバ２０を介した発呼側電話機と着呼側電話機との通話処理を行う。例えば、通話処理部２７１は、発呼側電話機からの発呼要求を受けて、着呼側電話機を呼び出す処理などを行う。
【００４３】
距離情報取得部２７２は、着呼側電話機と、着呼側電話機のユーザとの距離を示す情報を、着呼側電話機から取得する。
【００４４】
機器動作状況取得部２７３は、家電機器４０の動作状況を示す情報を取得して、取得した情報を家電動作情報２６２として記憶部２０６に蓄積させる。
【００４５】
ユーザ動作状態推定部２７４は、外部の装置から受信する情報に基づいて、電話システムにおける着呼側のユーザの動作状態を推定する。例えば、ユーザ動作状態推定部２７４は、着呼側のユーザの動作状態として、着呼側のユーザが電話に応答しようとしているか否かを、着呼側のユーザと着呼側電話機との距離の変化に応じて推定する。また、ユーザ動作状態推定部２７４は、家電動作情報２６２と、着呼側電話機の充電状況とに基づいて、着呼側のユーザの動作状態を推定する。
【００４６】
表示内容送信部２７５は、ユーザ動作状態推定部２７４による、着呼側のユーザの動作状態の推定結果に基づいて、発呼側ユーザに着呼側ユーザの状態を報知するための、発呼側電話機のディスプレイに表示させる表示内容を特定し、特定した表示内容を示す情報を着呼側電話機へ送信する。
【００４７】
通話システムは、発呼側電話機と、着呼側電話機と、サーバ２０とにより構成される。通話システムは、発呼側電話機が着呼側電話機を呼び出している呼び出し中に、着呼側電話機を使用する着呼側ユーザと着呼側電話機との位置関係を推定するための情報を取得するように構成された取得手段（例えば、動作状態送信部１６２）と、取得される位置関係を推定するための情報に基づいて推定される呼び出し中の着呼側ユーザの動作状態を示す報知を、発呼側電話機に実行させる報知手段（例えば、報知処理部１６４）とを備える。
【００４８】
＜データ構造＞
図３、図４、図５および図６を参照して、実施の形態のサーバ２０で使用されるデータのデータ構造について説明する。
【００４９】
図３は、着呼側ユーザの家屋の間取り図の例を示す。このように、着呼側ユーザの家屋には、複数の部屋（図３の例では、部屋「個室Ａ」、部屋「個室Ｂ」、部屋「居間」および部屋「台所」）が含まれる。これら各部屋に、エアコン等の家電機器（エアコン４０Ｃａ、４０Ｃｂ、４０Ｃｃ、テレビ４０Ｔａ、４０Ｔｃ、ＩＨクッキングヒーター４０Ｘなど）が設置される。なお、図３において、着呼側ユーザが電話機を充電させている位置を、充電位置４１として示す。このような家屋の間取り図に基づいて、図４に示す状態判定基準情報２６３を、例えば通話システムの管理者、または、着呼側ユーザ等が作成する。通話システムは、着呼側ユーザの電話機が充電中である場合は、部屋「個室Ａ」に電話機があり、充電中でない場合は、着呼側ユーザが携帯しているものと推定する。これにより、着呼側ユーザと、着呼側電話機との位置関係をサーバ２０が推定できるようになる。この推定結果に基づき、図５に示す表示内容特定情報２６４を、例えば通話システムの管理者等が作成する。これら状態判定基準情報２６３と表示内容特定情報２６４とは、予めサーバ２０によって記憶される。
【００５０】
図５に示すように、着呼側ユーザの状態が状態「料理中」であるとき、着呼側ユーザが着呼に応答することは比較的危険であるとみなしている。サーバ２０は、発呼側電話機に対し、着呼側ユーザが電話に応答できない旨の表示内容を送信する。また、着呼側ユーザの状態が状態「外出」であり、かつ、電話機の充電状態が状態「充電中」である場合は、着呼側ユーザの手元に電話機がないため、サーバ２０は、発呼側電話機に対し、着呼側ユーザが電話に応答できない旨の表示内容を送信する。
【００５１】
また、電話機の充電状態が状態「充電中でない」場合は、着呼側ユーザの手元に電話機があると推定されるため、サーバ２０は、発呼側電話機に対し、着呼側ユーザが着呼に応答する可能性があることを示す表示内容として、表示内容「少々  お待ちください」を送信する。また、電話機の充電状態が状態「充電中である」場合であって、着呼側ユーザが部屋「居間」または部屋「個室Ｂ」にいるときは、着呼側ユーザと電話機とが離れた位置にあるため、サーバ２０は、発呼側電話機に対し、着呼側ユーザと電話機とが離れた位置にあり、着呼に応答できない可能性があることを示す旨の表示内容を送信する。
【００５２】
また、着呼側ユーザが部屋「個室Ａ」にいる場合、着呼側ユーザと電話機とが同じ部屋に位置しているため、サーバ２０は、発呼側電話機に対し、着呼側ユーザが着呼に応答する可能性があることを示す表示内容として、表示内容「少々  お待ちください」を送信する。ただし、着呼側ユーザが部屋「個室Ａ」にいる場合であっても、着呼側ユーザが状態「ＴＶ鑑賞中」である場合は、着呼側ユーザが着呼に気づかない可能性がある。そのためサーバ２０は、発呼側電話機に対し、着呼側ユーザが用事のために着呼に応答できない可能性があることを示す旨の表示内容を送信する。また、着呼側ユーザが部屋「居間」にいる場合であって、動作状態「ＴＶ鑑賞中」である場合は、着呼側ユーザと電話機とが同じ部屋に位置しておらず離れている上に、着呼側ユーザが着呼に気づく可能性も低くなるため、サーバ２０は、発呼側電話機に対し、着呼側ユーザが着こに応答する可能性がいっそう低いことを示す表示内容として、表示内容「離れた所におり、電話に  出られないかもしれません」を送信する。
【００５３】
図４は、状態判定基準情報２６３のデータ構造を示す図である。図４に示すように、状態判定基準情報２６３の各レコードは、動作状況２６３Ａと、判定結果２６３Ｂとを含む。
【００５４】
動作状況２６３Ａは、サーバ２０が家電機器４０の各家電機器から受信する、各家電機器の動作状況の設定を示す。図４の例では、着呼側ユーザの家屋に複数の家電機器が配置される。家電機器としては、例えば、ＩＨヒーター（Ｘ）、第１のテレビ（Ｔｃ）、第１のエアコン（Ｃｃ）、第２のテレビ（Ｔａ）、第２のエアコン（Ｃａ）、第３のエアコン（Ｃｂ）など、がある。
【００５５】
図４において、動作状況「ＯＮ」は、家電機器の電源がオン状態であり、家電機器の機能を発揮するため動作中であることを示す。また、動作状況「ＯＦＦ」は、家電機器の機能が発揮されておらず、電力の供給がない（または家電機器が、省電力で動作するスタンバイモード等である）ことを示す。また、動作状況「ＯＮ／ＯＦＦ」は、家電機器が機能を発揮するため動作中であるか否か、どちらでもよいことを示す。なお、各家電機器の動作状況が動作状況「ＯＮ」であるか、動作状況「ＯＦＦ」であるかを任意に定義してもよい。例えば、ＩＨヒーター（Ｘ）の動作状況について、ガスコンロの点火等に応じて動作状況「ＯＮ」であるか動作状況「ＯＦＦ」であるかをサーバ２０へ送信することとしてもよい。また、例えば、テレビ（Ｔｃ、Ｔａ）の動作状況について、テレビの前に人がいるか否かに応じて、テレビの前に人がいる場合に動作状況「ＯＮ」、テレビの前に人がいない場合に動作状況「ＯＦＦ」としてもよい。テレビの前に人がいるか否かの検出は、例えば、テレビに備え付けられたカメラの撮影画像から検出する、テレビに搭載する人感センサの出力に基づき検出する等の方法により実現することができる。
【００５６】
また、動作状況をサーバへ報告する対象となる家電は、図４に示す例に限らず、例えば冷蔵庫の開閉に応じて、動作状況「ＯＮ」または動作状況「ＯＦＦ」を、冷蔵庫からサーバ２０へ送信することとしてもよい。また、各部屋の気温を測定器が測定した結果をサーバ２０へ送信することとしてもよい。
【００５７】
判定結果２６３Ｂは、動作状況２６３Ａに示される各家電機器の動作状況に基づいて判定される、着呼者の状態の判定結果を示す。着呼者の状態の判定結果は、着呼者がどの場所にいるかを示す場所の情報と、着呼者がどのような行動をしているかを示す動作の情報との少なくともいずれかを含む。例えば、判定結果２６３Ｂにおいて、判定結果「台所、料理中」は、着呼側のユーザが台所にいて料理中である、との判定結果を示す。
【００５８】
図５は、着呼者の状態の判定結果および着呼側電話機の充電状態に基づいて、発呼側電話機のユーザに通知するためのディスプレイの表示内容をサーバ２０が特定する場合の表示内容特定情報２６４のデータ構造を示す。
【００５９】
ある局面において、表示内容特定情報２６４の各レコードは、判定結果２６４Ｐと、充電状態２６４Ｑと、表示内容２６４Ｒとを含む。
【００６０】
判定結果２６４Ｐは、状態判定基準情報２６３に基づき判定される、着呼者の状態の判定結果を示す。
【００６１】
充電状態２６４Ｑは、着呼側電話機の状態として、着呼側電話機が充電中であるか、充電中でないかを示す。
【００６２】
表示内容２６４Ｒは、発呼者に対して着呼者の状態を通知するためのディスプレイの表示内容を示す。
【００６３】
図６は、着呼者と着呼側電話機との距離の大きさに基づいて、発呼側電話機のユーザに通知するためのディスプレイの表示内容をサーバ２０が特定する場合の表示内容特定情報２６４のデータ構造を示す。図６の例において、表示内容特定情報２６４の各レコードは、判定結果２６４Ｓと、距離２６４Ｔと、表示内容２６４Ｕとを含む。
【００６４】
判定結果２６４Ｓは、状態判定基準情報２６３に基づき判定される、着呼者の状態の判定結果を示す。
【００６５】
距離２６４Ｔは、着呼側電話機の状態として、着呼側電話機と着呼者との距離が一定距離（例えば、数メートル）以上であるか否かを示す。
【００６６】
表示内容２６４Ｕは、発呼者に対して着呼者の状態を通知するためのディスプレイの表示内容を示す。
【００６７】
＜動作＞
図７から図９を参照して、本実施形態の通話システムを構成する各装置の動作を説明する。
【００６８】
図７は、着呼者と着呼側電話機との距離の情報に基づいて、発呼側電話機に着呼側電話機のユーザの動作状態の推定結果を報知させる処理を示す図である。
【００６９】
ステップＳ１０１において、発呼側電話機は、着呼側電話機の電話番号等により着呼側電話機を特定して、特定した着呼側電話機に対して発呼を行う。この発呼がサーバ２０を介して着呼側電話機へ到達することにより、着呼側電話機は、着呼側ユーザの呼び出し処理を開始する。
【００７０】
ステップＳ３０１において、着呼側電話機は、発呼側電話機からの呼び出し処理を受け付けて、着呼側ユーザに対して発呼側電話機からの着信があることを、例えばスピーカ１４８からの音声出力等により報知する。
【００７１】
ステップＳ３０３において、着呼側電話機は、着呼側電話機のユーザが保持する装着型通信機器３０が出力するビーコン信号を受信することにより、着呼側電話機のユーザと着呼側電話機との距離を示す情報を、逐次、取得し、取得した情報を、逐次、サーバ２０へ送信する。
【００７２】
ステップＳ２０１において、サーバ２０は、着呼側電話機から、着呼側電話機のユーザと着呼側電話機との距離を示す情報を逐次受信し、受信した情報に基づいて、着呼側電話機のユーザの動作状態を推定する。サーバ２０は、着呼側電話機のユーザの動作状態の推定結果に基づいて、発呼側電話機のユーザに報知する報知内容（例えば、発呼側電話機のディスプレイに表示する情報）を決定し、決定した内容を発呼側電話機へ送信する。サーバ２０は、発呼が終了するまで（発呼側電話機が発呼を終了する場合、または着呼者が着信を受けた場合）、発呼の開始からの経過時間に応じて発呼側電話機のユーザに対する報知内容を決定し、決定した報知内容を、逐次、発呼側電話機へ送信する。具体的には、例えば、サーバ２０は、着呼側電話機から、着呼側電話機のユーザと着呼側電話機との距離（ｘ）を示す情報を受信する。
【００７３】
（１）  ステップＳ２０１において、サーバ２０は、受信した距離（ｘ）が、第１の閾値（例えば、２メートル）以下である場合に、発呼側電話機のユーザに報知する報知内容を、ディスプレイの表示内容「すぐ近くにいます」（着呼側電話機のユーザが着呼側電話機から比較的近い位置にいることを示す表示内容）と決定する。
【００７４】
サーバ２０は、ステップＳ２０１において、受信した距離（ｘ）が第１の閾値以下である時間が、第１の所定時間（例えば、２０秒）を超える場合（すなわち、第１の所定時間を超えても着呼側電話機のユーザが着信に応答しない場合）、発呼側電話機のユーザに対する報知内容を、ディスプレイの表示内容「電話に出られないようです」（着呼側電話機のユーザが着呼側電話機から比較的近い位置にいるにもかかわらず着信に応答できない事情があることを示唆する表示内容）と決定する。
【００７５】
（２）  ステップＳ２０１において、サーバ２０は、受信した距離（ｘ）が、第１の閾値（例えば、２メートル）より大きく第２の閾値（例えば、１０メートル）より小さい場合に、発呼側電話機のユーザに報知する報知内容を、着呼側電話機のユーザと着呼側電話機との距離に応じた表示とする。すなわち、サーバ２０は、着呼側電話機のユーザと着呼側電話機との距離の変化に応じて、着呼側電話機のユーザが着呼側電話機に近づいていること、着呼側電話機のユーザが着呼側電話機から遠ざかっていること等を、発呼側電話機のユーザに対する報知内容と決定する。例えば、サーバ２０は、着呼側電話機のユーザと着呼側電話機との距離の大きさを視覚的に表示するように、発呼側電話機のユーザに対する報知内容を決定する。具体的には、サーバ２０は、例えば、受信した距離（ｘ）が、第１の閾値より大きく第２の閾値より小さい場合、発呼側電話機のディスプレイには当初は着呼側電話機のユーザの動作状態について何も表示させないように、発呼側電話機のユーザに対する報知内容を決定する。この状態における着呼側電話機と着呼側電話機のユーザとの距離（ｘ）が、時間の経過とともに一定距離（例えば、２メートル）以上小さくなった場合（すなわち、着呼側電話機と着呼側電話機のユーザとの距離が一定距離近づいた場合）、サーバ２０は、ユーザに報知する報知内容を、ディスプレイの表示内容「電話に近づいてきています」（着呼側電話機のユーザが着信に気づいて着呼側電話機に接近しつつあることを示唆する表示内容）と決定する。
【００７６】
サーバ２０は、着呼側電話機と着呼側電話機のユーザとの距離（ｘ）が、一定距離（例えば、２メートル）以上小さくなった後、さらに一定距離（例えば、２メートル）以上近づくことなく第２の所定時間（例えば、３０秒）が経過した場合、発呼側電話機のユーザに対する報知内容を、ディスプレイの表示内容「電話に出られないようです」（着呼側電話機のユーザが着呼側電話機から比較的近い位置にいるにもかかわらず着信に応答できない事情があることを示唆する表示内容）と決定する。
【００７７】
（３）  ステップＳ２０１において、サーバ２０は、受信した距離（ｘ）が、第２の閾値（例えば、１０メートル）以上である場合、または、距離（ｘ）を取得できていない場合に、発呼側電話機のユーザに報知する報知内容を、ディスプレイの表示内容「着信音が届かないかもしれません」（着呼側電話機の着信呼び出しに着呼側電話機のユーザが気付かない程度に離れて着呼側電話機のユーザと着呼側電話機とが位置していることを示唆する表示内容）と決定する。この状態における着呼側電話機と着呼側電話機のユーザとの距離（ｘ）が、時間の経過とともに一定距離（例えば、２メートル）以上小さくなった場合（すなわち、着呼側電話機と着呼側電話機のユーザとの距離が一定距離近づいた場合）、または、距離（ｘ）を取得できていない状態から距離（ｘ）を取得できる状態となった場合、サーバ２０は、ユーザに報知する報知内容を、ディスプレイの表示内容「電話に近づいてきています」（着呼側電話機のユーザが着信に気づいて着呼側電話機に接近しつつあることを示唆する表示内容）と決定する。その後、サーバ２０は、上述の（２）で説明したように、発呼側電話機のユーザに報知する報知内容を、着呼側電話機のユーザと着呼側電話機との距離に応じた表示とする。すなわち、サーバ２０は、着呼側電話機のユーザと着呼側電話機との距離の変化に応じて、着呼側電話機のユーザが着呼側電話機に近づいていること、着呼側電話機のユーザが着呼側電話機から遠ざかっていること等を、発呼側電話機のユーザに対する報知内容と決定する。例えば、サーバ２０は、着呼側電話機のユーザと着呼側電話機との距離の大きさを視覚的に表示するように、発呼側電話機のユーザに対する報知内容を決定する。
【００７８】
サーバ２０は、ステップＳ２０１において、受信した距離（ｘ）が、第２の閾値以上である時間が、第３の所定時間（例えば、２０秒）を超える場合（すなわち、第３の所定時間を超えても着呼側電話機のユーザと着呼側電話機との距離が第２の閾値以上に離れて位置している場合）、発呼側電話機のユーザに対する報知内容を、ディスプレイの表示内容「着信音が届かない所にいます」（着呼側電話機のユーザが着呼側電話機から比較的遠い位置にあり、着呼側電話機が報知する着信音が着呼側電話機に認識されない距離にあることを示唆する表示内容）と決定する。
【００７９】
ステップＳ１０５において、発呼側電話機は、サーバ２０から、着呼側電話機のユーザの動作状態を示す情報として、着呼側電話機と着呼側電話機のユーザとの距離の大きさを示す情報、および、サーバ２０で推定された推定結果を示す表示内容を、サーバ２０から逐次受信し、受信した表示内容をディスプレイ１４２に表示することで発呼側電話機のユーザに報知する。
【００８０】
＜実施の形態２＞
実施の形態１では、着呼者と着呼側電話機との距離の情報に基づいて、発呼側電話機に着呼側電話機のユーザの動作状態の推定結果を報知させる場合について説明した。実施の形態２の通話システムは、着呼側電話機の充電状態と、家電機器４０の動作状態の情報とを用いて着呼側ユーザの状態の推定結果を発呼側電話機に報知させる。
【００８１】
図８は、着呼側電話機の充電状態と、家電機器４０の動作状態の情報とを用いて着呼側ユーザの状態の推定結果を発呼側電話機に報知させる処理を示す図である。
【００８２】
ステップＳ３１３において、着呼側電話機は、着呼側電話機が充電されているか否かを示す充電状況の情報を、逐次、サーバ２０へ送信する。
【００８３】
ステップＳ２１１において、サーバ２０は、着呼側電話機から、着呼側電話機の充電状態を示す情報を受信して、受信した情報をメモリ等に保持する。サーバ２０は、着呼側ユーザの家屋に配置される各家電機器の動作状況の情報を家電動作情報２６２等から取得する。サーバ２０は、各家電機器の動作状況と、状態判定基準情報２６３とに基づいて着呼側ユーザの状態を判定する。サーバ２０は、着呼側ユーザの状態の判定結果と、着呼側電話機の充電状況と、表示内容特定情報２６４とに基づいて着呼側ユーザの状態を逐次推定し、推定結果に対応した、発呼側電話機における表示内容を特定し、特定した表示内容を発呼側電話機へ逐次送信する。
【００８４】
ステップＳ１１５において、発呼側電話機は、サーバ２０から、着呼側電話機のユーザの動作状態の推定結果を示す表示内容を逐次受信し、受信した表示内容をディスプレイ１４２に表示することで発呼側電話機のユーザに報知する。
【００８５】
＜実施の形態３＞
なお、図８の例において、サーバ２０は、着呼者の状態と、発呼者の属性とに基づいて、発呼者への表示内容を決定することとしてもよい。例えば、着呼者と発呼者とが親族であるなど、着呼者と発呼者との人間関係を、着呼者と発呼者との属性に基づいて判定することで、着呼者の状態を、より詳細に発呼者へ報知することとしてもよい。これにより、発呼者にとっては、不要な発呼時間を省くことがよりいっそう容易となる。また、サーバ２０は、着呼者と発呼者との間に親族などの人間関係がなく、他人同士であることが推定される場合は、着呼者の状態を発呼者へ報知する内容に制限を加えてもよい。
【００８６】
＜実施の形態４＞
また、図８の例では、着呼側電話機の充電状態と、家電機器４０の動作状態の情報とを用いて着呼側ユーザの状態の推定結果を発呼側電話機に報知させる例について説明したが、この他に、着呼側電話機の充電状態の情報を用いず、着呼側ユーザの周囲の電子機器から得られる情報（家電機器４０の動作状態の情報）を用いて着呼側ユーザの状態をサーバ２０等が推定することとしてもよい。例えば、家電機器４０が、着呼側ユーザの睡眠状態をモニタリングする睡眠計であるとする。この場合、この睡眠計が、逐次、サーバ２０に、モニタリング結果を送信する。サーバ２０は、睡眠計から送信されるモニタリング結果を受信して家電動作情報２６２として記憶する。サーバ２０は、睡眠計のモニタリング結果を参照し、着呼側ユーザの状態として、着呼側ユーザが睡眠中であるか否かを判定する。サーバ２０は、判定結果に対応して、着呼側ユーザが睡眠中である場合は、発呼側電話機における表示内容を、表示内容「電話に出られません」と特定する。サーバ２０は、判定結果に対応して、着呼側ユーザが睡眠中ではない場合は、表示内容「少々お待ちください」と特定する。サーバ２０は、特定した表示内容を発呼側電話機へ逐次送信する。
【００８７】
＜画面の表示例＞
以上のように、各実施形態の通話システムに含まれる発呼側電話機、サーバ２０、および着呼側電話機の動作について説明した。ここで、画面の表示例を説明する。
【００８８】
図９は、着呼者と着呼側電話機との距離の情報に基づいて、発呼側電話機に着呼側電話機のユーザの動作状態の推定結果を報知させる処理の、発呼側電話機の画面の表示例を示す図である。
【００８９】
図９の状態（Ａ）は、着呼者が着呼側電話機の着信の報知に気づいて着呼側電話機へと近づいている局面における、発呼側電話機のディスプレイにおける報知内容を示す図である。図９の状態（Ｂ）は、状態（Ａ）と比較して着呼者が着呼側電話機へといっそう近づいている局面における、発呼側電話機のディスプレイにおける報知内容を示す図である。図９の状態（Ｃ）は、図９の状態（Ｂ）と比較して着呼者が着呼側電話機を把持して着信に応答する局面における、発呼側電話機のディスプレイにおける報知内容を示す図である。図９の状態（Ａ）、状態（Ｂ）および状態（Ｃ）は、図７に示すサーバ２０の動作のステップＳ２０１および発呼側電話機の動作のステップＳ１０５に対応する。
【００９０】
図９に示すように、発呼側電話機は、着呼側電話機と着呼側電話機のユーザとの距離（ｘ）を示す情報を、サーバ２０を介して受信し、受信した距離（ｘ）の変化を発呼側電話機のユーザに視覚的に報知する。発呼側電話機は、具体的には、例えば、複数の矩形形状の図形を距離表示部１８２に表示する。発呼側電話機は、これら矩形形状の図形を、それぞれ異なる大きさで表示する。発呼側電話機は、着呼側電話機と着呼側電話機のユーザとの距離が近くなるにつれて、形状が比較的大きい矩形形状の図形を強調して表示する。また、発呼側電話機は、サーバ２０から受信する、発呼側電話機のユーザに対する報知内容を表示内容１８１に表示する。
【００９１】
図９の例では、発呼側電話機は、着呼側電話機と着呼側電話機のユーザとの距離（ｘ）が２メートル近づくにつれて、より大きな矩形形状の図形を強調してディスプレイ１４２に表示する。この場合、矩形形状の図形の数は、距離（ｘ）を２で割って小数点以下を切り捨てた値に、加算値「１」を加算した数となる。例えば、発呼側電話機が着呼側電話機に対して発呼を行うことによりサーバ２０を介して着呼側電話機から距離（ｘ）を初めて受信した際の距離（ｘ）の値が距離「６．８（メートル）」である場合、矩形形状の図形の数は、４個となる。発呼側電話機は、例えば、距離（ｘ）を初めて受信した際は、矩形形状の図形をいずれも強調表示せず、距離（ｘ）が２メートル小さくなるたびに、形状が比較的小さい矩形形状から順に強調表示する（着呼側電話機のユーザが着呼側電話機に２メートル近づくたびに、矩形形状の図形のひとつが強調表示される）。すなわち、発呼側電話機が距離（ｘ）を初めて受信した際の距離（ｘ）の値が距離「６．８（メートル）」である場合、矩形形状の図形の数を４個と決定し、決定した数（４個）に従って、大きさがそれぞれ異なる矩形形状の図形を距離表示部１８２に表示する。発呼側電話機は、距離（ｘ）を示す情報を、逐次、サーバ２０から受信しており、着呼側電話機のユーザが着呼側電話機に２メートル近づくたびに、形状の小さい矩形形状の図形から順に強調表示する。例えば、距離（ｘ）の初めの値が距離「６．８（メートル）」である場合、発呼側電話機は、距離（ｘ）が距離「４．８」〜距離「２．８」の区間において、形状が比較的小さい矩形形状を強調表示する（状態（Ａ））。さらに、発呼側電話機は、距離（ｘ）が距離「２．８」〜距離「０．８」の区間において、２個目の矩形形状の図形を強調表示する（状態（Ｂ））。さらに、発呼側電話機は、距離（ｘ）が距離「０．８」〜距離「０」（着呼側電話機のユーザが着呼側電話機を手にして応答処理を行う）の区間において、３個目の矩形形状の図形を強調表示する。発呼側電話機は、距離（ｘ）が距離「０」に達することにより、全ての矩形形状の図形を強調表示する（状態（Ｃ））。なお、発呼側電話機は、サーバ２０から受信する距離（ｘ）が増加する場合（すなわち着呼側電話機のユーザが着呼側電話機から離れる場合）、表示内容１８１に、表示内容「ユーザが電話から離れて行っているようです」と表示して、着呼側電話機のユーザが着呼側電話機への着信に応答する可能性が縮小していることを示唆することを発呼側電話機のユーザに報知してもよい。
【００９２】
＜実施の形態５＞
また、図９に示すような発呼側電話機のディスプレイ１４２に表示されている画面は、発呼側電話機に限らず、発呼側電話機のユーザが装着するデバイス（スマートウォッチなどのウェアラブルデバイス）、テレビ、タブレット端末、ＰＣ（Personal  Computer）その他のデバイスに転送され、これらデバイスで表示されることとしてもよい。また、図９に示すような発呼側電話機のディスプレイ１４２に表示されている画面は、発呼側電話機のユーザが発呼側電話機に耳をあてたことを発呼側電話機に搭載される人感センサ等により検出することで、スマートウォッチなどの他のデバイスに転送されることとしてもよい。また、着呼側電話機のユーザと着呼側電話機との距離の変化を発呼側電話機のユーザに報知する方法は、これら矩形形状の図形を表示することに限られず、例えば、距離（ｘ）の値をデジタル的に発呼側電話機のディスプレイに表示すること等としてもよい。また、着呼側電話機のユーザと着呼側電話機との距離（ｘ）を発呼側電話機に報知する方法として、視覚的な方法に限らず、例えば発呼側電話機のスピーカを通じて音声を出力し、距離（ｘ）の変化に応じて音量を変える（例えば、着呼側電話機のユーザが着呼側電話機に近づくほど音量が大きくなる）等の方法により報知することとしてもよい。
【００９３】
＜実施の形態６＞
また、図４および図５は、サーバ２０が家電動作情報２６２と着呼側電話機の充電状況とに基づいて着呼側のユーザの動作状態を推定するために用いる情報を示し、図６は、サーバ２０が着呼側電話機のユーザと着呼側電話機との距離の情報を取得して、取得した距離の情報に基づいて着呼側のユーザの動作状態を推定するために用いる情報を示している。サーバ２０は、着呼側電話機のユーザと着呼側電話機との距離の情報を取得できる場合は、図６に示す表示内容特定情報２６４を参照して、発呼側電話機のユーザに報知する報知内容を決定し、着呼側電話機のユーザと着呼側電話機との距離の情報を取得できない場合に、図４に示す状態判定基準情報２６３および図５に示す表示内容特定情報２６４を参照して、発呼側電話機のユーザに報知する報知内容を決定することとしてもよい。また、発呼者が、着呼側電話機のユーザが予めサーバ２０に登録しておいたメンバーである場合に、サーバ２０は、発呼側電話機のユーザに報知する内容として、着呼者の状態の情報（判定結果２６４Ｐまたは判定結果２６４Ｓ）も発呼側電話機に送信し、発呼側電話機においてこれら着呼者の状態の情報を表示することとしてもよい。着呼側電話機のユーザが予めメンバーをサーバ２０に登録する方法は、例えば、着呼者の状態の情報を発呼側電話機に送信することを許可する電話番号、または、通話システムを利用するためのアカウント情報をサーバ２０に登録することで実現することができる。
【００９４】
本実施の形態に係るシステムを構成する各装置は、プロセッサと、その上で実行されるプログラムにより実現される。本実施の形態を実現するプログラムは、通信インタフェースを介してネットワークを利用した送受信等により提供される。
【００９５】
今回開示された実施の形態はすべての点で例示であって制限的なものでないと考えられるべきである。この発明の範囲は上記した説明ではなくて特許請求の範囲によって示され、特許請求の範囲と均等の意味および範囲内でのすべての変更が含まれることが意図される。
【符号の説明】
【００９６】
１０  通信装置、２０  サーバ、３０  装着型通信機器、４０  家電機器、９０  ネットワーク、９１  ブロードバンドルータ、９２  無線基地局、１０１  アンテナ、１１１  無線通信部、１３１  物理操作キー、１４１  操作受付部、１４２  タッチパネル、１４３  電源制御部、１４４  バッテリ、１４５  カメラ、１４６  音声処理部、１４７  マイク、１４８  スピーカ、１５０  記憶部、１５１  ユーザ識別情報、１５２  ユーザ動作状態情報、１６０  制御部、１６１  呼制御部、１６２  動作状態送信部、１６３  動作状態受信部、１６４  報知処理部、１８１  表示内容、１８２  距離表示部、２０２  通信部、２０６  記憶部、２０７  制御部、２６１  ユーザ登録情報、２６２  家電動作情報、２６３  状態判定基準情報、２６４  表示内容特定情報、２７１  通話処理部、２７２  距離情報取得部、２７３  機器動作状況取得部、２７４  ユーザ動作状態推定部、２７５  表示内容送信部。
【図１】
2017017545.tif 000003
【図２】
2017017545.tif 000004
【図４】
2017017545.tif 000005
【図５】
2017017545.tif 000006
【図６】
2017017545.tif 000007
【図７】
2017017545.tif 000008
【図８】
2017017545.tif 000009
【図９】
2017017545.tif 000010
【図３】
2017017545.tif 000011